(57)【特許請求の範囲】
【請求項１】
光源と、この光源から発せられた光を読み取り原稿に導くための導光部材と、上記原稿からの反射光を集束するための光集束部材と、を備え、これらがケース内に収容配置されたイメージセンサであって、
上記導光部材は、その光入射面および光出射面を除いた外部との境界面の少なくとも一部が、光反射率に優れる白色樹脂により成形された反射部材が水平方向に形成されたピンとピンホールとの嵌合により密着させられた状態で上記ケース内に上方から嵌め込まれて収容配置されていることを特徴とする、イメージセンサ。
【請求項２】
上記導光部材の光出射面から出射された光であって、かつ上記原稿に直接的には導かれない光を、その進路を変更して上記原稿に導くための反射体が上記光集束部材の上部から上方に延出するようにして収容配置されている、請求項１に記載のイメージセンサ。
【請求項３】
上記ケースには、上部開口が形成されているとともに、この開口に透明カバーが嵌め込まれており、この透明カバー上を原稿送りすることによって原稿の画像が読み取られるように構成されている、請求項１または２に記載のイメージセンサ。
【請求項４】
固定された原稿に対して走査しつつ光を照明して原稿の画像を読み取るように構成されている、請求項１ないし３のいずれかに記載のイメージセンサ。
【発明の詳細な説明】
【０００１】
【発明の属する技術分野】
本願発明は、ファクシミリ装置の画像読み取り部やイメージスキャナ装置などに用いられるイメージセンサに関する。
【０００２】
【従来の技術】
従来のイメージセンサ１の一例を図１４に示す。このイメージセンサ１は、いわゆる密着型のイメージセンサ１として構成されたものであり、樹脂などによって形成されたケース１０の底部には、画像読み取り幅に対応した長さ範囲に複数個のイメージセンサチップ２０およびＬＥＤチップなどにより構成された光源２１が実装された基板２が取り付けられており、上記ケース１０の上部開口１１には、ガラス製などの透明カバー５が嵌め込まれている。この透明カバー５に設定された読み取りラインＬと上記光源２１との間の内部空間１３には、光源２１から発せられた光を効率良く上記読み取りラインＬに導くための導光部材３が配置されている。また、上記透明カバー５に設定された読み取りラインＬと上記イメージセンサチップ２０との間には、上記読み取りラインＬに沿う明暗画像を正立等倍にイメージセンサチップ２０上に集束させるためのレンズアレイ４が配置されている。
【０００３】
すなわち、上記イメージセンサ１においては、光源２１から発せられた光が導光部材３を介して上記取りラインＬに達して原稿Ｄが照明され、この原稿Ｄからの反射光がレンズアレイ４を介してイメージセンサチップ２０に受光されるように構成されている。上記導光部材３においては、光源２１から発せられた光が光入射面３０から上記導光部材３内に入射され、この光が上記導光部材３と外部との境界面３２において全反射しつつ上記導光部材３内を進行して光出射面３１に達し、この光が光出射面３１から出射されて原稿Ｄを照明するようになされている。
【０００４】
【発明が解決しようとする課題】
しかしながら、上記構成のイメージセンサ１においては、上記ケース１０の内部空間１３に上記導光部材３を配置することによって、上記導光部材３を配置しない場合と比較すれば光源２１からの光が効率良く原稿Ｄを照明することができるが、上記導光部材３に導かれた光の一部は、上記境界面３２において全反射せずに境界面３２から上記導光部材３の外部に洩れてしまう。すなわち、上記境界面３２に全反射臨界角よりも小さい角度で入射した光は、上記境界面３２を通過して上記導光部材３の外部に洩れてしまう。このような光の大部分は、上記ケース１０の内壁に吸収されてしまうために、上記構成のイメージセンサ１においては、上記境界面３２から洩れる光を有効に利用することができない。
【０００５】
ところで、イメージセンサ１を製造する場合には、製造コストの低廉化といった観点から上記基板２に実装される光源２１の個数は少ない方が好ましく、また、上記イメージセンサ１を低電圧駆動させるためにも上記光源２１の個数は少ない方が好ましい。この場合に問題となるのは、光源２１の数を低減させることにともなう光源全体から発せられる光量の低下をいかにして補うかである。ところが、上述した構成のイメージセンサ１においては、導光部材３を採用することによって光源２１から発せられた光の有効利用がある程度は図られているものの、上記導光部材３と外部との間の境界面３２から上記導光部材３内に導かれた光の一部が洩れてしまうのは上述の通りであり、光源２１の数を低減させてイメージセンサ１を所望通りに駆動させて原稿画像の読み取りを行なうことが困難である。
【０００６】
本願発明は、上記した事情のもとで考え出されたものであって、光源から発せられた光を効率良く原稿に導くようにすることをその課題とする。
【０００７】
【発明の開示】
上記の課題を解決するため、本願発明では、次の技術的手段を講じている。
【０００８】
すなわち、本願発明により提供されるイメージセンサは、光源と、この光源から発せられた光を読み取り原稿に導くための導光部材と、上記原稿からの反射光を集束するための光集束部材と、を備え、これらがケース内に収容配置されたイメージセンサであって、上記導光部材は、その光入射面および光出射面を除いた外部との境界面の少なくとも一部が、光反射率に優れる白色樹脂により成形された反射部材が水平方向に形成されたピンとピンホールとの嵌合により密着させられた状態で上記ケース内に上方から嵌め込まれて収容配置されていることを特徴としている。
【００１０】
上記反射部材は、白色樹脂によって形成されるために、たとえば金型成形によって容易に所望の形状に形成することができる。すなわち、金型を適宜設計すれば、所定の部位から突出する突起やピンなどを同時に一体形成することができ、また、凹入部を容易に形成することができる。このため、上記反射部材に形成された、たとえば突起などを嵌合可能な凹入部を上記導光部材に形成しておけば、容易に上記反射部材と導光部材とを一体化させることができる。したがって、接着材などを用いずとも精度良く、しかも確実に上記反射部材を導光部材に密着させて一体化させることができる。このようにして一体化された反射部材および導光部材は、その取り扱いが容易であり、樹脂製などケースに凹入形成されたホルダ部などに圧入するなどして密着状態を維持したままで容易に上記ケース内に収容配置させることができる。
【００１１】
ところで、上記導光部材が収容配置されたイメージセンサにおいては、光源から発せられて光入射面から導光部材に入射された光は、上記導光部材と外部との境界面で反射しつつ進行して光出射面から出射されて原稿を照明するのであるが、上記導光部材内を進行する光の一部は上記境界面において反射せずに上記導光部材の外部に漏れてしまうのは上述の通りである。本願発明においては、上記導光部材の外部との境界面の少なくとも一部に反射部材が密着させられているため、かりに上記導光部材内を進行する光が上記導光部材の外部に漏れてしまったとしても、上記反射部材が密着させられた境界面から洩れた光は、上記反射部材によって反射されて上記導光部材内に戻され、再び上記導光部材内を進行することとなる。この結果、一旦上記導光部材の外部に洩れた光であっても、上記反射部材によって上記導光部材内の戻された光は、上記光出射面から出射されることとなる。すなわち、上記構成を備えたイメージセンサにおいては、光源から発せられた光を効率良く上記光出射面から出射させて原稿を照明することができる。したがって、上記構成のイメージセンサによれば、１の光源から発せられる光を効率良く原稿の読み取りラインに導くことができるために、光源数を低減させて所望の画像読み取りが可能となり、ひいては、製造コストの低廉化およびイメージセンサの低電圧駆動が実現可能となる。
【００１２】
もちろん、上記反射部材は、上記境界面の全面に密着させてもよいし、境界面光が洩れやすい部位に重点的に密着させてもよいのはいうまでなく、境界面のどの部位に密着させるかは適宜設計すればよい。
【００１７】
好ましい実施の形態においては、上記導光部材の光出射面から出射された光であって、かつ上記原稿に直接的には導かれない光を、その進路を変更して上記原稿に導くための反射体が上記光集束部材の上部から上方に延出するようにして収容配置されている。
【００１８】
上記構成によれば、上記光入射面から入射されて直接的には上記原稿に導かれずに無駄になるであろう光を、上記反射体によって進路を変更することで上記原稿を照明することができる。すなわち、上記構成のイメージセンサにおいては、光源から発せられた光を効率良く上記導光部材に光出射面から出射させることができることに加えて、上記光出射面から出射された光を効率良く読み取りラインに導くことができる。このように、上記反射体を所定の位置に配置することによって、上記反射部材を上記導光部材に密着配置させることにより得られる効果を増大させることができる。
【００１９】
好ましい実施の形態においてはさらに、上記導光部材と上記反射部材とが嵌合手段によって一体化されており、また、上記反射部材および／または導光部材と上記ケースとを嵌合手段によって一体化するように構成してもよい。
【００２０】
上記構成のように、上記導光部材と上記反射部材とを一体化させることによって、すなわち導光ユニットとすることによってその取り扱いが容易となるのは上述の通りである。上記構成では、嵌合手段によって上記導光部材と上記反射とを導光ユニットとする作業が極めて容易であり、また、上記導光ユニットの状態では、それぞれ別体形成された導光部材および反射部材を各々上記ケース内に収容配置させる必要はなく、一体化された導光ユニットを収容配置すればよく、上記イメージセンサを製造する上での手間が簡略化される。このような効果は、上記反射部材の点数が多い場合に顕著に表れる。
【００２１】
好ましい実施の形態においては、上記イメージセンサは、上記ケースに上部開口が形成されているとともに、この開口に透明カバーが嵌め込まれており、この透明カバー上を原稿送りすることによって原稿の画像が読み取られるように構成されており、また、固定された原稿に対して走査しつつ光を照明して原稿の画像を読み取るように構成してもよい。
【００２２】
前者の構成のイメージセンサは、いわゆるシートフィード用密着型イメージセンサとして構成されたものであり、後者の構成のイメージセンサは、いわゆるフラットベッド用イメージセンサとして構成されたものである。すなわち、これまで説明した本願発明は、シートフィード型密着イメージセンサおよびフラットベッド用イメージセンサのいずれにおいても適用することができ、これらのイメージセンサにおいては上述した種々の効果を享受できるのはいうまでもない。
【００２３】
本願発明のその他の特徴および利点は、添付図面を参照して以下に行う詳細な説明によって、より明らかとなろう。
【００２４】
【発明の実施の形態】
以下、本願発明の好ましい実施の形態を、図面を参照して具体的に説明する。
【００２５】
図１は、本願発明に係るイメージセンサに使用される導光ユニットの一例を表す分解断面図であり、図２は、上記導光ユニット６の要部を表す断面部であり、図３（ａ）は、上記導光ユニット６を構成する導光部材３の平面図であり、（ｂ）は、その正面図であり、図４（ａ）は、上記導光ユニット６を構成する第１反射部材７の平面図であり、（ｂ）は、その正面図であり、図５（ａ）は、上記導光ユニット６を構成する第２反射部材８の平面図であり、（ｂ）は、その正面図である。なお、従来例を説明するために参照した図面に描かれている部材および要素と同一のものには、同一の符号を付してある。
【００２６】
図１に示すように、上記導光ユニット６は、導光部材３と、この導光部材３に密着させるようにして取り付けられる第１反射部材７および第２反射部材８と、を備えて構成されており、これらの各部材３，７，８が所定の嵌合手段によって一体化させられている。
【００２７】
図１および図３に示すように、上記導光部材３は、たとえばＰＭＭＡなどのアクリル系透明樹脂を成形することにより光入射面３３および光出射面３４を有する細長バー状に形成されている。この導光部材３には、その長手方向に延びるようにして第１側面３ａ、第２側面３ｂ、第３側面３ｃおよび第４側面３ｄがそれぞれ形成されており、第１から第３側面３ａ〜３ｃ、上記光入射面３３および光入射面３３は、いずれも鏡面状とされており、第４側面３ｄが乱反射面とされている。なお、上記導光部材３の長手方向の端部側面３ｅ，３ｅは、適宜の手段によって光が透過されにくい光反射面とされている。
【００２８】
なお、鏡面状とは、必ずしも表面が積極的に研磨加工されている場合ばかりでなく、たとえば上記導光部材３を金型成形によって形成する場合に得られる比較的滑らかな面も、ここでいう鏡面状の面に含まれる。透明部材の表面を鏡面状とすれば、この面に対してこの透明部材の材質によって特定される全反射臨界角より大きな角度で入射する光を全反射させることができるとともに、上記全反射臨界角より小さな角度で入射する光については、その面を通過させることができる。また、上記第４側面３ｄは、たとえば上記第４側面３ｄを白色塗料で塗装したり、あるいは上記第４側面３ｄに幅方向に延びる複数のスリットを形成するなどして凹凸を設けることによって乱反射面とされている。
【００２９】
図３に良く表れているように、上記導光部材３の光出射面３４の長手方向中央部が、正面視略Ｖ字状に凹入させられており、２つの傾斜面３２，３２が形成されている。もちろん、これらの傾斜面３２，３２も鏡面状とされている。また、上記第１側面３ａには、水平方向に延びる複数のピンホール３０が形成されているとともに、上記第４側面３ｄには、２つのフィン３１，３１が互いに対向するようにして形成されており、これらの２つのフィン３１，３１間の面が光入射面３３とされている。後述するように、上記ピンホール３０およびフィン３１は、嵌合手段を構成しており、この嵌合手段によって上記導光部材３と上記第１反射部材７とが、上記導光部材３と上記第２反射部材８とがそれぞれ一体化させられる。
【００３０】
図１および図４に示すように、上記第１反射部材７は、反射率に優れる白色樹脂を、たとえば金型成形することによって全体として細長バー状に形成されている。上記第１反射部材７には、その長手方向の両端部に端部凸部７３，７３がそれぞれ形成されているとともに、中央部には中央凸部７２および２つの遮光板７０，７０がそれぞれ突出形成されており、上記導光部材３に形成されたピンホール３０に対応して複数の挿入ピン７１が形成されている（後に説明する図６参照）。これらの各挿入ピン７１が上記導光部材３の各ピンホール３０に挿入嵌合されて上記第１反射部材７が上記導光部材３と一体化されるのであるが、このとき、上記第１反射部材７は上記導光部材３の第１および第２側面３ａ，３ｂと密着させられている。なお、上記導光ユニット６は、後述する樹脂製などのケース１０内に収容配置されてイメージセンサを構成するのであるが、上記端部凸部７３，７３および中央凸部７２が上記ケース１０に形成された側方凹入部１４，１４および中央凹入部１４Ａにそれぞれ嵌合されて上記導光ユニット６が上記ケース１０内に保持固定される。図２に良く表れているように、上記遮光板７０，７０は、上記第１反射部材７と上記導光部材３とが一体化された状態においては、上記導光部材３の中央部のＶ字状に凹入した部位を覆うようになされている。すなわち、後述するように、上記導光ユニット６が上記ケース１０内に組み込まれた場合には、図２に仮想線で示したように、上記遮光板７０，７０の略鉛直下方位置に光源２１が位置するのであるが、このような部位に位置するようにして上記遮光板７０，７０を配置すれば、この光源２１から発せられた光が上記導光部材３の中央部から集中して出射することを回避することができる。
【００３１】
図１および図５に示すように、上記第２反射部材８は、上記第１反射部材７と同じく、反射率に優れる白色樹脂を、たとえば金型成形することによって全体として細長バー状に形成されており、その長手方向の中央部には、上下に貫通する透孔８０が形成されている。図２に良く表れているように、上記透孔８０には、上記導光部材３に形成されたフィン３１，３１が嵌合され、上記第２反射部材８と上記導光部材３とが一体化されて、上記導光部材３の第３および第４側面３ｃ，３ｄが上記第２反射部材８と密着させられる。なお、上記第２反射部材８と上記導光部材３とを一体化させる手段は、上記した手段には限定されず、適宜設計変更可能である。また、上記導光ユニット６が上記ケース１０内に組み込まれた場合には、上記透孔８０から光源２１が臨むようになされており、上記光源２１から発せられた光が直接上記導光部材３の光入射面３３に照射されるようになされている。
【００３２】
上記各反射部材７，８は、たとえば金型成形によって形成されるのは上述の通りであるが、金型成形による場合には、上記各反射部材７，８を容易に所望の形状に形成することができる。また、上記各反射部材７，８および導光部材３には、嵌合手段としての各要素が形成されており、これらを嵌合させるといった極めて容易な作業によって上記各反射部材７，８と導光部材３とを一体化させることができる。したがって、上記構成では、接着材などを用いずとも精度良く、しかも確実に上記各反射部材７，８を導光部材３に密着させて一体化させることができる。このようにして一体化された上記各反射部材７，８および導光部材３、すなわち導光ユニット６は、その取り扱いが容易であり、導光ユニット６として上記ケース１０内に組み込んでイメージセンサを構成するのは上記の通りである。以下、上記導光ユニット６が組み込まれたイメージセンサの一例について図６ないし図９を参照しつつ説明する。
【００３３】
図６は、本願発明に係るイメージセンサの一例を表す分解斜視図であり、図７は、上記イメージセンサ１の分解断面図であり、図８は、上記イメージセンサ１の断面図であり。図９は、上記導光ユニット６を構成する導光部材３内に入射された光の様子を表す図である。なお、本実施形態においては、密着型のイメージセンサ１として構成されたものについて説明する。
【００３４】
図６ないし図８に示すように、上記イメージセンサ１は、樹脂などによって形成されたケース１０を有し、この底部には、画像読み取り幅に対応した長さ範囲に複数個のイメージセンサチップ２０およびＬＥＤチップなどにより構成された光源２１が実装された基板２が取り付けられている。本実施形態においては、上記イメージセンサ１が読み取り原稿Ｄの画像を白黒に読み取るように構成されており、光源２１としては、たとえば白色光を発するＬＥＤチップなどが採用され、製造コストの低廉化などの観点からその数は１つとされている。なお、上記基板２は、２つのアタッチメント９，９が上記ケース１０の下方から外嵌する恰好で、上記ケース１０の外側面に設けられた係合用突起１５，１５に係止されることにより取り付けられている。
【００３５】
図８に示すように、上記ケース１０の上部開口１１には、ガラス製などの透明カバー５が嵌め込まれており、この透明カバー５に設定された読み取りラインＬと上記光源２１との間の内部空間には、光源２１から発せられた光を効率良く上記読み取りラインＬに導くための導光部材３を有する上記導光ユニット６が収容配置されている。この導光ユニット６は、たとえば圧入などの手段によって上記ケース１０の内部空間に形成されたホルダ部１９の嵌め込まれる恰好で上記ケース１０内に収容配置されている。上述したように、上記導光ユニット６の第１反射部材７には、中央凸部７２および端部凸部７３，７３がそれぞれ形成されており、上記導光ユニット６の圧入時には、これらの各凸部７２，７３，７３が上記ホルダ部１９の長手方向の中央部および両端部にそれぞれ形成された中央凹入部１４Ａおよび端部凹入部１４，１４に嵌合されるようになされている。このようにして、上記各凸部７２，７３，７３を上記各凹部１４Ａ，１４にそれぞれ嵌合させることによって、上記導光ユニット６が精度良く位置決めされた状態で、しかも簡易かつ良好に上記ケース１０内に保持させることができる。
【００３６】
また、上記透明カバー５に設定された読み取りラインＬと上記イメージセンサチップ２０との間には、上記読み取りラインＬに沿う明暗画像を正立等倍にイメージセンサチップ２０上に集束させるためのレンズアレイ４が配置されている。すなわち、上記イメージセンサ１においては、光源２１から発せられた光が導光部材３を介して上記取りラインＬに達して原稿Ｄが照明され、この原稿Ｄからの反射光がレンズアレイ４を介してイメージセンサチップ２０に受光されるように構成されている。
【００３７】
図９に良く表れているように、上記導光部材３においては、光源２１から発せられた光が光入射面３３から上記導光部材３内に入射され、この光が上記導光部材３の上記第１、第２および第３側面３ａ，３ｂ，３ｃ、端部側面３ｅ、および光出射面３４において全反射し、上記第４側面３ｄにおいては乱反射して上記導光部材３内を進行する。この過程においては、全反射臨界角以下の角度で光出射面３４に入射した光が上記光出射面３４において反射されずに透過し、この透過光が上記光出射面３４から出射する。このような光の出射は、上記光出射面３４の全体において行なわれ、しかも、上記光出射面３４の各部位から出射される光の量は、略均一化されている。
【００３８】
ところで、上記導光ユニット６は、上記導光部材３の第１および第２側面３ａ，３ｂに密着して第１反射部材７が、第３および第４側面３ｃ，３ｄに密着して第２反射部材８がそれぞれ取り付けられて構成されているのは上述の通りである。このように、上記導光部材３には、上記各反射部材７，８が密着させられているので、全反射せずに上記導光部材３の第１から第４側面３ａ〜３ｄを透過した光は上記各反射部材７，８の表面において反射され、再び上記導光部材３内に戻される。すなわち、上記構成の導光部材３においては、光入射面３３から入射された光が光出射面３４から出射されるまで間に導光部材３の外部に洩れてしまうといった不具合を低減させることができ、光源２１から発せられた光を効率良く読み取りラインＬに導くことができる。このため、本実施形態のように、たとえ１つの光源２１しか具備しない場合であっても、この光源２１から発せられる光を有効利用して所望の画像読み取りを行なうことができるようになる。したがって、本願発明においては、イメージセンサ１内に組み込まれる光源２１の数を低減させても不具合を生じることのないイメージセンサ１を実現することができ、このイメージセンサ１を製造する上で要するコストを低減させることができるとともに、製造されたイメージセンサ１の低電圧駆動が可能となる。
【００３９】
なお、本実施形態においては、上記各反射部材７，８および導光部材３が一体化された導光ユニット６を上記ケース１０内に組み込む場合について説明したが、これらの部材３，７，８をそれぞれ別個に上記ケース１０内に組み込む場合であっても、これらが組み込まれた状態で上記各反射部材７，８と上記導光部材３とが密着させられており、かつ上記各反射部材７，８が白色樹脂によって形成されているものは、本願発明の適用範囲である。
【００４０】
また、上記実施形態においては、第１反射部材７および第２反射部材８の２つの反射部材が上記導光部材３に密着させられていたが、これに限らず、図１０に示したように、上記実施形態における第２反射部材８を有さずに第１反射部材７の相当する反射部材７ａのみが上記導光部材３に密着させられているような構成であってもよい。この場合にも、上記導光部材３の第１および第２側面３ａ，３ｂが反射部材７ａに密着させられているので、光源２１から発せられた光を効率良く上記原稿Ｄに導くことができる。
【００４１】
これに加えて、図１１に示されているように、上記レンズアレイ４の上部から延出するような恰好で長手状に形成された反射体７Ａを配置してもよい。もちろん、この反射体７Ａも、上記各反射部材７，８と同様に白色樹脂によって形成することができるが、これに限らず、所定の部材の表面に金属被膜層を形成したり、あるいは白色塗料を塗装するなどして光反射面が形成されているものであってもよい。ところで、上記導光部材３の光出射面３４から出射された光であっても、その一部は読み取り原稿Ｄを照明せずに、上記ケース１０の内壁などに吸収されてしまうのであるが、このような光を上記反射体７Ａで反射させてその進路を変更して読み取り原稿Ｄを照明すれば、さらに上記光源２１から発せられた光を効率良く利用することができるようになる。
【００４２】
さらに、図１２に示すように、イメージセンサ１としては、上記実施形態で説明した２つの反射部材７，８が上記導光部材３に密着させられているイメージセンサ１においてさらに、図１１のイメージセンサ１で採用されている反射体７Ａを採用した構成のものであってもよい。
【００４３】
その他、上記実施形態においては、本願発明を密着型イメージセンサ１に適用した例について説明したが、上述した実施形態において説明され技術思想は、固定された読み取り原稿に対して走査しつつ光を照射して原稿の画像が読み取られるように構成された、いわゆるフラットベッド用イメージセンサについても適用できるのはいうまでもない。図１３に示したように、フラットベッド用イメージセンサ１ａの基本的な構成は、上述した密着型イメージセンサ１と略同様とすることができる。上記イメージセンサ１ａの構成が密着型イメージセンサ１と大きく異なる点は、上記ケース１０を覆う透明カバー５を有さず、上記第１反射部材７およびレンズアレイ４の上面が露出している点である。このように構成されたイメージセンサ１ａは、たとえばガラスカバー５Ａで覆われた筐体（図示略）内に組み込まれ、図中の矢印Ａ方向に走査しつつ上記ガラスカバー５Ａ上に固定された読み取り原稿Ｄを照明するように構成されている。たとえば、上記イメージセンサ１ａが原稿Ｄの画像を１ライン毎に読み取るように構成されている場合には、上記イメージセンサ１ａは上記原稿の副走査方向に走査しつつ上記原稿に光を照明することとなる。このような走査しつつ原稿Ｄを照明するイメージセンサ１ａにおいても、上記第１および第２反射部材７，８を備えた場合には、上記実施形態で説明したような上記第１および第２反射部材７，８を備えることによる効果を享受できるのはいうまでもない。
【図面の簡単な説明】
【図１】  本願発明に使用される導光ユニットの一例を表す分解断面図である。
【図２】  上記導光ユニットの要部断面図である。
【図３】  （ａ）は、上記導光ユニットを構成する導光部材の平面図であり、（ｂ）は、その正面図である。
【図４】  （ａ）は、上記導光ユニットを構成する第１反射部材の平面図であり、（ｂ）は、その正面図である。
【図５】  （ａ）は、上記導光ユニットを構成する第２反射部材の平面図であり、（ｂ）は、その正面図である。
【図６】  本願発明に係るイメージセンサの一例を表す分解斜視図である。
【図７】  上記イメージセンサの分解断面図である。
【図８】  上記イメージセンサの断面図である。
【図９】  上記導光ユニット構成する導光部材内に入射された光の様子を表す図である。
【図１０】  本願発明に係るイメージセンサの変形例を表す断面図である。
【図１１】  本願発明に係るイメージセンサの他の変形例を表す断面図である。
【図１２】  本願発明に係るイメージセンサのさらに他の変形例を表す断面図である。
【図１３】  本願発明をフラットベッド用イメージセンサに適用した例の断面図である。
【図１４】  従来例に係るイメージセンサの一例を表す断面図である。
【符号の説明】
１  イメージセンサ（密着型の）
１ａ  イメージセンサ（フラットベッド用の）
２  基板
３  導光部材
４  レンズアレイ
５  透明カバー
６  導光ユニット
７  第１反射部材
７Ａ  反射体
８  第２反射部材
１０  ケース
１４  端部凹入部（ケースの）
１４Ａ  中央凹入部（ケースの）
２０  イメージセンサチップ
２１  光源
３０  ピンホール
３１  フィン（導光部材の）
３３  光入射面
３４  光出射面
７１  挿入ピン（嵌合手段としての）
７２  中央凸部（嵌合手段としての）
７３  端部凸部（嵌合手段としての）
Ｄ  読み取り原稿
Ｌ  読み取りライン
【図１】
0003936437.tif 000002
【図２】
0003936437.tif 000003
【図３】
0003936437.tif 000004
【図４】
0003936437.tif 000005
【図５】
0003936437.tif 000006
【図６】
0003936437.tif 000007
【図７】
0003936437.tif 000008
【図８】
0003936437.tif 000009
【図９】
0003936437.tif 000010
【図１０】
0003936437.tif 000011
【図１１】
0003936437.tif 000012
【図１２】
0003936437.tif 000013
【図１３】
0003936437.tif 000014
【図１４】
0003936437.tif 000015